(57)【要約】      （修正有）【課題】表織編地と裏織編地が一体化された伸縮性布帛において裏地面にプリント染色された絵柄や文字列が伸長時に表地面からの視認を可能とした伸縮性装飾布帛を提供する。【解決手段】表織編地２と裏織編地３の２枚の織編地が一体化されている伸縮性布帛１において、裏織編地３面のプリント染色により、染料もしくは着色顔料が少なくとも裏織編地３内に浸透し、布帛１の伸長されることによって任意に着色された絵柄や文字列が表織編地面２から視認可能と可能とし、表織編地２がメッシュ地である。【選択図】図１
0003213507.tif 000002
【実用新案登録請求の範囲】
【請求項１】
表織編地と裏織編地の２枚の伸縮性織編地が一体化されてなる伸縮性布帛おいて、裏織編地面にプリント染色された染料もしくは着色顔料が少なくとも裏織編地内に浸透し、任意に着色された絵柄や文字列が伸長時に表織編地面から視認できることを特徴とする伸縮性装飾布帛。
【請求項２】
前記伸縮性布帛において、表織編地がメッシュ地であることを特徴とする請求項１記載の伸縮性装飾布帛。
【請求項３】
前記伸縮性布帛において、表織編地と裏織編地がメッシュ地であることを特徴とする請求項１記載の伸縮性装飾布帛。
【請求項４】
前記伸縮性布帛において、表織編地と裏織編地が互いに異種素材、または異色素材で構成されていることを特徴とする請求項１〜３何れか１項記載の伸縮性装飾布帛。      
【請求項５】
前記伸縮性布帛において、表織編地が濃色素材、裏織編地が淡色素材からなり、裏織編地面に表織編地と同色、もしくは濃色にて絵柄や文字列がプリント染色されていることを特徴とする請求項１〜４何れか１項記載の伸縮性装飾布帛。
【請求項６】
裏織編地にプリント染色された染料もしくは着色顔料が表織編地面にまで浸透し、表織編地面からプリント染色されている絵柄や文字列が視認できることを特徴とする請求項１〜５何れか１項記載の伸縮性装飾布帛。
【請求項７】
前記伸縮性布帛において、表織編地と裏織編地が連結糸により一体化された二重織編地であることを特徴とする請求項１〜６何れか１項記載の伸縮性装飾布帛。
【請求項８】
前記伸縮性布帛において、プリント染色されている裏織編地面に異なる表織編地を重ね、縫製又は接着等により特定部分を一体化させたことを特徴とする請求項１〜６何れか１項記載の伸縮性装飾布帛。
【考案の詳細な説明】
【技術分野】
【０００１】
本発明は、表織編地と裏織編地が一体化された伸縮性布帛に関するもので、さらに詳しくは布帛の裏織編地側にプリント染色された絵柄や文字列が伸長時に表側織編地面から視認することができる伸縮性装飾布帛に関するものである。
【背景技術】
【０００２】
従来、装飾性を高めることを目的として、生地表面に任意の柄や文字列を着色するプリント染色法が一般的に多用されている。
【０００３】
しかしながら、プリントされた柄は常時認識できるものであり、視認されるプリント柄に変化を出すことが難しいという問題がある。
【０００４】
その様な状況から、例えば、プリントインク内に光沢のある粉体を配合することで、光の当たり方によって、視認性を変化させる方法がある。
【０００５】
最近では、反射や蓄光、紫外線や温度・湿度により発色性が変化する特殊顔料もあり、それらをプリントインクとして利用することで、特殊な条件下において、初めてプリントされた柄や文字列が視認できる、あるいは色が変化するという方法もある。
【０００６】
しかしながら、このような特殊な材料は一般的には原料として高額であり、また材料そのものの耐久性が低いものが多く、衣料用途に要求される耐洗濯性、耐候性が実現しないという問題を抱えている。
【０００７】
また、特許文献１では、伸縮自在な生地において、伸長状態で絵柄をインクジェット捺染することよって非伸長時と伸縮時で異なった絵柄を呈することが提案されており、非伸縮時は伸縮方向に絵柄が集約され判読不可能な状態から伸長時に絵柄の字体が判読できるという効果が発揮されるが、絵柄内容によっては非伸縮時には集約された絵柄が見苦しい形として残存する懸念が問題である。
【先行技術文献】
【特許文献】
【０００８】
【特許文献１】特開２０１６−０３５１３２号公報
【考案の概要】
【考案が解決しようとする課題】
【０００９】
本考案は、上述したような問題点を改善し、表織編地と裏織編地の２枚の伸縮性織編地が一体化されてなる布帛において裏地面にプリント染色された絵柄や文字列が伸長時に表地面からの視認を可能とした伸縮性装飾布帛を提供することを目的としている。
【課題を解決するための手段】
【００１０】
本考案者が上記技術的課題を解決するために採用した手段を、添付図面を参照して説明すれば、次のとおりである。
【００１１】
即ち、本考案の伸縮性装飾布帛は、表織編地と裏織編地の２枚の伸縮性織編地が一体化されてなる伸縮性布帛おいて、裏織編地面にプリント染色された染料もしくは着色顔料が少なくとも裏織編地内に浸透し、任意に着色された絵柄や文字列が伸長時に表織編地面から視認できる技術的手段により完成させた。
【００１２】
また、本考案は前記伸縮性布帛において、表織編地がメッシュ地である技術的手段を採用することが出来る。
【００１３】
更にまた、本考案は前記伸縮性布帛において、表織編地と裏織編地がメッシュ地である技術的手段を採用することが出来る。
【００１４】
更にまた、本考案は前記伸縮性布帛において、表織編地と裏織編地が互いに異種素材、または異色素材で構成されている技術的手段を採用することが出来る。
【００１５】
更にまた、本考案は前記伸縮性布帛において、表織編地が濃色素材、裏織編地が淡色素材からなり、裏織編地面に表織編地と同色、もしくは濃色にて絵柄や文字列がプリント染色されている技術的手段を採用することが出来る。
【００１６】
更にまた、本考案は、裏織編地にプリント染色された染料もしくは着色顔料が表織編地面にまで浸透し、表織編地面からプリント染色されている絵柄や文字列が視認できる技術的手段を採用することが出来る。
【００１７】
更にまた、本考案は前記伸縮性布帛において、表織編地と裏織編地が連結糸により一体化された二重織編地である技術的手段を採用することが出来る。
【００１８】
更にまた、前記伸縮性布帛において、プリント染色されている裏織編地面に異なる表織編地を重ね、縫製又は接着等により特定部分を一体化させた技術的手段を採用することが出来る。
【考案の効果】
【００１９】
本考案は、表織編地と裏織編地の２枚の伸縮性織編地が一体化されてなる伸縮性布帛おいて、裏織編地面にプリント染色された染料もしくは着色顔料が少なくとも裏織編地内に浸透させているので、伸縮性布帛を伸長させることで表織編地面のメッシュ目が開き、その開いたメッシュ目から裏織編地面にプリント染色された絵柄や文字列が視認でき、衣服などに用いた際の装飾性、あるいは特異性を発揮させることが出来る。
【００２０】
また、表織編地の絵柄と裏織編地のプリント染色の絵柄や文字列を組み合わせ、動きの激しい運動着などに適用することで、繰り返しの伸び縮みに従って複雑な絵柄変化を成し、着用者や見る人の目を楽しませるという効果が得られる。
【図面の簡単な説明】
【００２１】
【図１】本考案の実施形態の布帛構造を説明するための斜視図
【図２】本考案の伸縮性装飾布帛の伸長時の変化を示す模式図
【考案を実施するための形態】
【００２２】
本発明を実施するための形態を、具体的に図示した図面に基づいて、更に詳細に説明すると、次のとおりである。
【００２３】
図１は本発明の実施形態の布帛構造を示し、符号１は伸縮性装飾布帛で、表編地２と裏編地３の２枚の編地が連結糸６により一体化された両面経編地であって、表編地２は１イン１アウトの鎖編４と数コース置きにヨコ振り挿入させたマーキュゼットメッシュ組織であり、裏編地３はフルセットの鎖編と全コースにヨコ振り挿入させた通常の経編組織であり、表編地２と裏編地３、またはどちらか一方の鎖編部にポリウレタン弾性糸が１針挿入されていて、長さ方向に高い伸縮性を持たせている。
【００２４】
また、表編地２のメッシュ目が開口した状態を図示したが、伸縮性装飾布帛１を自然な状態に放置した際にメッシュ目の開口部が殆ど塞がるようにメッシュ目の大きさや編成密度、使用糸繊度などの条件設定を行うことにより本考案の目的を達成させることが出来る。
【００２５】
すなわち、図２は本考案の伸縮性装飾布帛１の伸長時の変化を模式的に示したもので、図２の（イ）は自然な状態の表編地２面を示し、（ロ）は長さ方向（矢印方向）に引き伸ばされた際に表編地２のメッシュ目が開口し、表編地２の開口部から裏編地３の裏面側までプリント染色された文字列を視認出来るようになり、引き伸ばしを止めて自然な状態（イ）に戻すと表編地２表面しか見えない状態に変化する。
【００２６】
図２の（イ）の状態で、表編地面にも絵柄や文字列をプリント染色することができ、そうすることで引き伸ばしと開放の繰り返しによる絵柄あるいは文字列の変化が楽しめる。
【００２７】
図１では、表編地１のメッシュ地組織をマーキュゼット組織で示したが、チュール組織やネット組織など開口部を有する組織であれば特に限定されず、また、裏編地３においても通常の経編組織を採用することが出来、シングルデンビ組織、シングルコード組織、ダブルデンビ組織、ハーフ組織、あるいはメッシュ組織など特に限定されることがないが、伸縮性を阻害するような組織は好ましくない。
【００２８】
表編地２および裏編地３に用いる素材は特に限定されず、ポリエステル繊維、ポリアミド繊維、アクリル繊維などの合成繊維や天然繊維を用いることができ、また、表編地２と裏編地３が異種素材、または異色素材で構成されても構わない。
【００２９】
また、表編地２と裏編地３を一体化する連結糸６に関しても、全コース毎に連結しても構わないし、数コース置き、あるいはウェール方向においても数ウェール置きとか、両端だけ連結して中央部は連結せずに袋状としても構わない。
【００３０】
本考案においては、伸長時に裏編地３の絵柄や文字列を明確に視認出来るようにするには、メッシュ目の開口量を大きく変化させる必要性から、高い伸縮性を有することが必要で、そのためには少なくとも３０％以上の伸長率を有し、また最大伸長率の８０％伸長時の回復率が９０％以上とすることが好ましい。
【００３１】
また、弾性糸を１針挿入させて、弾性糸の挿入方向（長さ方向）に伸縮性を付与させることによって、裏編地３にプリント染色された文字列などにおいては、文字ボケせず視認することが出来るので好ましいが、弾性糸をウェール方向にも振って挿入あるいは編成させ、２方向に伸縮させる構造であっても構わず、絵柄などによっては２方向に伸縮させることによって複雑怪奇な絵柄の変化が楽しめる。
【００３２】
本考案の伸縮性装飾布帛１は上述した両面経編地構造において、伸縮性装飾布帛１の裏編地３側にプリント染色された染料もしくは着色顔料が少なくとも裏編地３内に浸透し、裏編地３の表編地２側にまで染色されていることが必要で、染料もしくは着色顔料が裏編地３内に浸透するようプリント染色する染料や着色顔料の粘度調整を行うことが好ましい。
【００３３】
また、裏編地３にプリント染色する際に、表編地２まで染色されても構わないが、表編地２まで染色されるのを確実に防止する方法としては、例えば、表編地２を構成する編糸に、水溶性の糊剤などを付着させて編成し、プリント染色後に糊剤を精錬工程で除去する方法、あるいは袋編構造として袋内にフィルムなど挿入させてプリント染色することにより表編地２への汚染を防ぐことが出来る。
【００３４】
また、裏編地３にプリント染色する前に、前もって裏編地３及び表編地２に浸透剤、撥水剤、濃染剤、均染剤、防染剤などの処理剤を、パディングもしくはコーティングなどにより生地に付着もしくは含侵させることによって、プリント染色する染料もしくは着色顔料が裏編地３内に浸透しやすくしたり、表編地２への汚染を防ぐことが出来る。
【００３５】
また、裏編地３を構成する素材と、表編地２を構成する素材を異なる素材にし、裏編地３を構成する素材のみが染色されるような染料インクを使用することで、表編地２への汚染を防ぐことが出来る。
【００３６】
裏編地３にプリント染色により任意の柄、文字列を着色する方法としては、フラットスクリーンプリント、インクジェットプリント、凸版プリント、フレキソプリント、ロータリースクリーンプリント、転写プリントなど、一般的なプリント方法が使用できる。
【００３７】
また、前記プリントに使用する着色インクは、通常の水性顔料インクや油性顔料インク、分散染料インク、反応染料インク、酸性染料インクなどが使用でき、基材となる生地の素材に合わせて、任意に選定することが可能である。
【００３８】
裏編地３にプリント染色された絵柄や文字列は、伸縮性装飾経編地１が伸長されて状態で視認されるものであるから、プリント染色する際には所定の伸長率での伸長状態でプリント染色するのが好ましく、そうすることで裏編地３も粗密度状態となるので染料もしくは着色顔料を裏編地３内に浸透させ易いメリットもある。
【００３９】
また、表編地２が濃色素材、裏編地３が淡色素材であり、プリントによる裏編地３面に着色する色を表編地２面と同色もしくは類似な濃色にすることで、視認性の変化がより顕著になることから好ましい。
【００４０】
本考案の実施形態を、表編地２と裏編地３の２枚の編地が連結糸６により一体化された両面経編地について説明してきたが、本考案においては織物の二重組織を用いても良く、また、プリント染色されている裏織編地面に異なる表織編地を重ね、縫製又は接着等により特定部分を一体化させた布帛構造も含まれる。
【符号の説明】
【００４１】
１：本考案の伸縮性装飾布帛
２：表編地
３：裏編地
４：鎖編糸
５：よこ振り挿入糸
６：連結糸
【図１】
0003213507.tif 000003
【図２】
0003213507.tif 000004
【手続補正書】
【提出日】平成29年9月12日(2017.9.12)
【手続補正１】
【補正対象書類名】実用新案登録請求の範囲
【補正対象項目名】請求項８
【補正方法】変更
【補正の内容】
【請求項８】
前記伸縮性布帛において、プリント染色されている裏織編地面に異なる表織編地を重ね、縫製又は接着により特定部分を一体化させたことを特徴とする請求項１〜６何れか１項記載の伸縮性装飾布帛。
【手続補正２】
【補正対象書類名】明細書
【補正対象項目名】００１８
【補正方法】変更
【補正の内容】
【００１８】
更にまた、前記伸縮性布帛において、プリント染色されている裏織編地面に異なる表織編地を重ね、縫製又は接着により特定部分を一体化させた技術的手段を採用することが出来る。
【手続補正３】
【補正対象書類名】明細書
【補正対象項目名】００４０
【補正方法】変更
【補正の内容】
【００４０】
本考案の実施形態を、表編地２と裏編地３の２枚の編地が連結糸６により一体化された両面経編地について説明してきたが、本考案においては織物の二重組織を用いても良く、また、プリント染色されている裏織編地面に異なる表織編地を重ね、縫製又は接着により特定部分を一体化させた布帛構造も含まれる。